(57)【要約】  中枢神経に器質的障害を有している患者に対しても有効な、安価な家庭用電気治療器を提供することを目的として、医学情報をスマートフォンに入力し、マイクロプロセッサにより、出力信号を制御して、手の末梢神経、足の末梢神経、仙骨孔、頚椎に電極を設置して電圧を付加することにより、脳血管障害をはじめとしたもろもろの疾患を総合的に改善できる家庭用電気治療器を提供する。
2017221389.tif 000002
【特許請求の範囲】
【請求項１】
マイクロプロセッサと、
電源制御ユニットと、
過電圧保護ユニットと、
前記マイクロプロセッサ、前記電源制御ユニット、及び前記過電圧保護ユニットを制御するスマートフォンと、
頸椎に設置する電極と、
正中神経が通過する手のひらの部位、並びに橈骨神経及び尺骨神経が通過する手の甲の部位に電極を固定可能な手のサポータと、
腓骨神経及び脛骨神経が通過する足の甲の部位、並びに大腿神経が通過する脛の内側面に電極を固定可能な足のサポータと、
手のサポータ及び足のサポータに配置する複数の電極と、
前記電極及び前記マイクロプロセッサを連結可能なケーブルと、を有する家庭用電気治療器であって、
前記スマートフォンが、電流の出力パターン、電流の出力強度、通電時間、通電開始／終了のタイミング、通電状態、通電履歴を制御可能であり、
前記家庭用電気治療器が、
頸椎に０Ｖを付加可能であり、
手の末梢神経に５Ｖ若しくは６Ｖ又は−５Ｖ若しくは−６Ｖを付加可能であり、
足の末梢神経に５Ｖ若しくは６Ｖ又は−５Ｖ若しくは−６Ｖを付加可能であり、
手の末梢神経が、正中神経、橈骨神経、尺骨神経であり、
足の末梢神経が、腓骨神経、脛骨神経、及び大腿神経であり、
仙骨孔に通電可能であり、
手の末梢神経、及び足の末梢神経のそれぞれに、
大脳の中心後回に刺激を伝える、プラス信号と、
大脳の運動野を介して末梢神経に刺激を伝える、マイナス信号と、を付加可能であり、
前記家庭用電気治療器が付加するプラス信号及びマイナス信号の付加パターンが３２種類存在し、
各付加パターンは、６回の通電刺激から構成され、
前記３２種類のうち、
プラス信号５回かつマイナス信号１回の付加パターンが２種類、
プラス信号１回かつマイナス信号５回の付加パターンが２種類、
プラス信号４回かつマイナス信号２回の付加パターンが９種類、
プラス信号２回かつマイナス信号４回の付加パターンが９種類、
プラス信号３回かつマイナス信号３回の付加パターンが１０種類、であり、
前記家庭用電気治療器が、右の橈骨神経、左の橈骨神経、右の正中神経、左の正中神経、右の尺骨神経、左の尺骨神経、右の腓骨神経、左の腓骨神経、右の脛骨神経、左の脛骨神経、右の大腿神経、左の大腿神経の順に、各末梢神経と、仙骨孔−頸椎間とで、通電可能であることを特徴とする、家庭用電気治療器。
【請求項２】
マイクロプロセッサと、
電源制御ユニットと、
過電圧保護ユニットと、
前記マイクロプロセッサ、前記電源制御ユニット、及び前記過電圧保護ユニットを制御するスマートフォンと、
左右の外耳道に設置する電極と、
正中神経が通過する手のひらの部位、並びに橈骨神経及び尺骨神経が通過する手の甲の部位に電極を固定可能な手のサポータと、
腓骨神経及び脛骨神経が通過する足の甲の部位、並びに大腿神経が通過する脛の内側面に電極を固定可能な足のサポータと、
手のサポータ及び足のサポータに配置する複数の電極と、
前記電極及び前記マイクロプロセッサを連結可能なケーブルと、を有する家庭用電気治療器であって、
前記スマートフォンが、電流の出力パターン、電流の出力強度、通電時間、通電開始／終了のタイミング、通電状態、通電履歴を制御可能であり、
前記家庭用電気治療器が、
外耳道に０Ｖを付加可能であり、
手の末梢神経に５Ｖ若しくは６Ｖ又は−５Ｖ若しくは−６Ｖを付加可能であり、
足の末梢神経に５Ｖ若しくは６Ｖ又は−５Ｖ若しくは−６Ｖを付加可能であり、
手の末梢神経が、正中神経、橈骨神経、尺骨神経であり、
足の末梢神経が、腓骨神経、脛骨神経、及び大腿神経であり、
仙骨孔に通電可能であり、
手の末梢神経、及び足の末梢神経のそれぞれに、
大脳の中心後回に刺激を伝える、プラス信号と、
大脳の運動野を介して末梢神経に刺激を伝える、マイナス信号と、を付加可能であり、
手の末梢神経及び仙骨孔に、プラス信号６回の付加パターンから、２ミリ秒から８ミリ秒の間隔で、プラス信号の回数を徐々に減らしつつマイナス信号の回数を徐々に増やす付加パターンに変更させつつ、プラス信号とマイナス信号を付加可能であり、
足の末梢神経に、マイナス信号６回の付加パターンから、２ミリ秒から８ミリ秒の間隔で、マイナス信号の回数を徐々に減らしつつプラス信号の回数を徐々に増やす付加パターンに変更させつつ、プラス信号とマイナス信号を付加可能であり、
前記家庭用電気治療器が、右の橈骨神経、右の腓骨神経、左の橈骨神経、左の腓骨神経、右の正中神経、右の大腿神経、左の正中神経、左の大腿神経、右の尺骨神経、右の脛骨神経、左の尺骨神経、左の脛骨神経の順に、各末梢神経と、仙骨孔−頸椎間とで、通電可能であることを特徴とする、家庭用電気治療器。
【請求項３】
マイクロプロセッサと、
電源制御ユニットと、
過電圧保護ユニットと、
前記マイクロプロセッサ、前記電源制御ユニット、及び前記過電圧保護ユニットを制御するスマートフォンと、
正中神経が通過する手のひらの部位、並びに橈骨神経及び尺骨神経が通過する手の甲の部位に電極を固定可能な手のサポータと、
腓骨神経及び脛骨神経が通過する足の甲の部位、並びに大腿神経が通過する脛の内側面に電極を固定可能な足のサポータと、
手のサポータ及び足のサポータに配置する複数の電極と、
前記電極及び前記マイクロプロセッサを連結可能なケーブルと、を有する家庭用電気治療器であって、
前記スマートフォンが、電流の出力パターン、電流の出力強度、通電時間、通電開始／終了のタイミング、通電状態、通電履歴を制御可能であり、
前記家庭用電気治療器が、
手の末梢神経に５Ｖ若しくは６Ｖ又は−５Ｖ若しくは−６Ｖを付加可能であり、
足の末梢神経に５Ｖ若しくは６Ｖ又は−５Ｖ若しくは−６Ｖを付加可能であり、
手の末梢神経が、正中神経、橈骨神経、尺骨神経であり、
足の末梢神経が、腓骨神経、脛骨神経、及び大腿神経であり、
仙骨孔に通電可能であり、
手の末梢神経、及び足の末梢神経のそれぞれに、
大脳の中心後回に刺激を伝える、プラス信号と、
大脳の運動野を介して末梢神経に刺激を伝える、マイナス信号と、を付加可能であり、
前記家庭用電気治療器が付加するプラス信号及びマイナス信号の付加パターンが３２種類存在し、
各付加パターンは、６回の通電刺激から構成され、
前記３２種類のうち、
プラス信号５回かつマイナス信号１回の付加パターンが２種類、
プラス信号１回かつマイナス信号５回の付加パターンが２種類、
プラス信号４回かつマイナス信号２回の付加パターンが９種類、
プラス信号２回かつマイナス信号４回の付加パターンが９種類、
プラス信号３回かつマイナス信号３回の付加パターンが１０種類、であり、
前記家庭用電気治療器が、右の橈骨神経、左の橈骨神経、右の正中神経、左の正中神経、右の尺骨神経、左の尺骨神経、右の腓骨神経、左の腓骨神経、右の脛骨神経、左の脛骨神経、右の大腿神経、左の大腿神経の順に、各末梢神経と、仙骨孔−頸椎間とで、通電可能であることを特徴とする、家庭用電気治療器。
【請求項４】
マイクロプロセッサと、
電源制御ユニットと、
過電圧保護ユニットと、
前記マイクロプロセッサ、前記電源制御ユニット、及び前記過電圧保護ユニットを制御するスマートフォンと、
正中神経が通過する手のひらの部位、並びに橈骨神経及び尺骨神経が通過する手の甲の部位に電極を固定可能な手のサポータと、
腓骨神経及び脛骨神経が通過する足の甲の部位、並びに大腿神経が通過する脛の内側面に電極を固定可能な足のサポータと、
手のサポータ及び足のサポータに配置する複数の電極と、
前記電極及び前記マイクロプロセッサを連結可能なケーブルと、を有する家庭用電気治療器であって、
前記スマートフォンが、電流の出力パターン、電流の出力強度、通電時間、通電開始／終了のタイミング、通電状態、通電履歴を制御可能であり、
前記家庭用電気治療器が、
手の末梢神経に５Ｖ若しくは６Ｖ又は−５Ｖ若しくは−６Ｖを付加可能であり、
足の末梢神経に５Ｖ若しくは６Ｖ又は−５Ｖ若しくは−６Ｖを付加可能であり、
手の末梢神経が、正中神経、橈骨神経、尺骨神経であり、
足の末梢神経が、腓骨神経、脛骨神経、及び大腿神経であり、
仙骨孔に通電可能であり、
手の末梢神経、及び足の末梢神経のそれぞれに、
大脳の中心後回に刺激を伝える、プラス信号と、
大脳の運動野を介して末梢神経に刺激を伝える、マイナス信号と、を付加可能であり、
手の末梢神経及び仙骨孔に、プラス信号６回の付加パターンから、２ミリ秒から８ミリ秒の間隔で、プラス信号の回数を徐々に減らしつつマイナス信号の回数を徐々に増やす付加パターンに変更させつつ、プラス信号とマイナス信号を付加可能であり、
足の末梢神経に、マイナス信号６回の付加パターンから、２ミリ秒から８ミリ秒の間隔で、マイナス信号の回数を徐々に減らしつつプラス信号の回数を徐々に増やす付加パターンに変更させつつ、プラス信号とマイナス信号を付加可能であり、
前記家庭用電気治療器が、右の橈骨神経、右の腓骨神経、左の橈骨神経、左の腓骨神経、右の正中神経、右の大腿神経、左の正中神経、左の大腿神経、右の尺骨神経、右の脛骨神経、左の尺骨神経、左の脛骨神経の順に、各末梢神経と、仙骨孔−頸椎間とで、通電可能であることを特徴とする、家庭用電気治療器。
【請求項５】
睡眠誘導装置として用いられる請求項１から４のいずれかに記載の家庭用電気治療器であって、
前記家庭用電気治療器が、
橈骨神経に７Ｈｚで通電可能であり、
腓骨神経に７Ｈｚで通電可能であり、
仙骨孔に４Ｈｚで通電可能であり、
正中神経に６Ｈｚで通電可能であり、
大腿神経に６Ｈｚで通電可能であり、
尺骨神経に５Ｈｚで通電可能であり、
脛骨神経に５Ｈｚで通電可能である、請求項１から４のいずれかに記載の家庭用電気治療器。
【請求項６】
睡眠誘導装置として用いられる請求項１から４のいずれかに記載の家庭用電気治療器であって、
前記家庭用電気治療器が、
橈骨神経に７Ｈｚで通電可能であり、
腓骨神経に７Ｈｚで通電可能であり、
仙骨孔に４Ｈｚで通電可能であり、
正中神経に６Ｈｚで通電可能であり、
大腿神経に６Ｈｚで通電可能であり、
尺骨神経に５Ｈｚで通電可能であり、
脛骨神経に５Ｈｚで通電可能であり、
前記スマートフォンが、入力された睡眠予定時刻の３時間前に通電開始時刻を通知可能であり、通知と同時に通電を開始する、家庭用電気治療器。
【発明の詳細な説明】
【技術分野】
【０００１】
本発明は、好ましくは睡眠誘導装置としても用いられる、家庭用電気治療器に関する。
【背景技術】
【０００２】
従来、生体の各所に電極を接続し、当該電極から、電流を通電する電気治療器が知られている（例えば、特許文献１から４参照）。このような、電気治療器としては、用いられる電流の周波数に応じて、低周波治療器、高周波治療器等が挙げられる。一般的な電気治療器においては、特殊な波形で神経に局所的に強い電気刺激を与えて、中枢神経からβ−エンドルフィンを分泌させることが知られている。β−エンドルフィンは、中枢神経系と末梢神経系の両方のニューロンでみられる内生オピオイドの神経ペプチドであり、神経系においてβ−エンドルフィンが分泌されると、オピオイド受容体にアゴニストとして作用し、モルヒネの６．５倍とも言われる鎮痛効果を生じせしめる。このように、低周波治療器、高周波治療器等、電気治療器を用いた治療においては、神経に与えられる局所的な電気刺激により、β−エンドルフィンの生成が促され、鎮痛作用がもたらされることが知られている。【０００３】
しかしながら、従来の電気治療器を用いた治療は、脳を始めとする中枢神経に器質的障害を有している患者に対しては、ほとんど効果がなかった。このような、中枢神経（特に、脳）に器質的障害を有している患者としては、例えば、脳出血や脳梗塞等の脳血管障害に罹患した患者が挙げられる。脳血管障害は脳出血と脳梗塞に分類され、脳出血は脳内出血とクモ膜下出血、脳梗塞は脳血栓及び脳塞栓に分類される。脳血管障害は、日本人の死因の１０．３％を占め、日本人に３番目に多い死因といわれており、日本における現在の患者数は１１８万人にも上る。脳血管障害の危険因子としては、動脈硬化、高血圧、脂質異常、糖尿病、喫煙等が挙げられる。これらの中でも、血管を傷害する傾向を有する糖尿病は、脳血管障害や、心疾患の予備群であるとされているが、世界保健機関（ＷＨＯ）によれば、成人の糖尿病有病者数が２０１４年までに４億２，２００万人に達し、特に、中国、インド、アメリカ、ブラジル、インドネシアに集中していることが報告されており、糖尿病有病者数の増加に伴い、脳血管障害や、心疾患の罹患者が激増することが強く懸念されている。【０００４】
脳血管障害に罹患した患者は、多くの場合、後遺症としての運動障害を有しているため、就業が困難になる場合も多く、労働による収入が大幅に減少する傾向にある。このような、身体障害を抱える患者に対しては、公的保険制度や障害者年金制度により、国家がその生活を保障していく必要があるが、高齢化の進行に伴い、多くの先進諸国では公的保険制度や公的年金制度の維持に苦慮しているのが現状である。今後、仮に、脳血管障害の罹患者が大幅に増大した場合、公的保険や公的年金の財源を圧迫することも想定され、脳血管障害の罹患者の身体能力を回復させるため、これらの患者にとっても経済的な負担となりにくい、低コストで手軽に実施できる治療方法を開発することが求められている。【０００５】
ところで、現在、携帯電話保有者の爆発的な増加によって、携帯型通信端末は日常生活における主要な必需品の１つとなっている。ここで、携帯型通信端末の流通量の爆発的な増加に伴い、携帯型通信端末の機能自体も高機能化・多機能化しており、携帯型通信端末を製造・販売する各事業者の間では、携帯型通信端末の機能開発競争が激化しているのが現状である。このような携帯型通信端末の中でも、スマートフォンは、近年世界で広く流通するに至っており、電話機能・メール機能に加えて、インターネット閲覧、音楽再生、動画再生、情報生成・記録、静止画／動画撮影、スケジュール管理、家電操作等、様々な機能を発揮できる、特に高機能・多機能の端末となっている。
【先行技術文献】
【特許文献】
【０００６】
【特許文献１】特開２０１５−２３１５１１
【特許文献２】特開２０１３−２０２１９４
【特許文献３】特開２０１２−０４０１０２
【特許文献４】特開２０１０−２２０７５４
【発明の概要】
【発明が解決しようとする課題】
【０００７】
ここで、上述したように、従来知られていた電気治療器は、中枢神経に器質的障害を有している患者に対しては、ほとんど効果がなかった。このため、中枢神経に器質的障害を有している患者に対しても有効な、電気治療器の開発が求められており、特に、家庭においても手軽に利用できる家庭用電気治療器を開発することが求められているが、中枢神経に器質的障害を有している患者については、収入が少ないため、そのような収入の少ない患者にも容易に入手可能なように、そのような家庭用電気治療器については、安価なものである必要があった。したがって、本発明は、以上の課題に鑑みてなされたものであり、中枢神経に器質的障害を有している患者に対しても有効な、安価な家庭用電気治療器を提供することを目的とする。
【課題を解決するための手段】
【０００８】
本発明の発明者は、上記課題に鑑み鋭意研究を行った。その結果、携帯型通信端末として広く流通しているスマートフォンを家庭用電気治療器に利用可能なことを見出した。そして、この家庭用電気治療器において、医学情報をスマートフォンに入力し、マイクロプロセッサにより、出力信号を制御して、手の末梢神経、足の末梢神経、仙骨孔、頚椎に電極を設置して電圧を付加することにより、脳血管障害をはじめとしたもろもろの疾患を総合的に改善できることを見出し、本発明を完成するに至った。【０００９】
具体的には、本発明は、以下のものを提供する。【００１０】
（１）本発明の第１の態様は、マイクロプロセッサと、電源制御ユニットと、過電圧保護ユニットと、前記マイクロプロセッサ、前記電源制御ユニット、及び前記過電圧保護ユニットを制御するスマートフォンと、頸椎に設置する電極と、正中神経が通過する手のひらの部位、並びに橈骨神経及び尺骨神経が通過する手の甲の部位に電極を固定可能な手のサポータと、腓骨神経及び脛骨神経が通過する足の甲の部位、並びに大腿神経が通過する脛の内側面に電極を固定可能な足のサポータと、手のサポータ及び足のサポータに配置する複数の電極と、前記電極及び前記マイクロプロセッサを連結可能なケーブルと、を有する家庭用電気治療器であって、前記スマートフォンが、電流の出力パターン、電流の出力強度、通電時間、通電開始／終了のタイミング、通電状態、通電履歴を制御可能であり、前記家庭用電気治療器が、頸椎に０Ｖを付加可能であり、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、手の末梢神経が、正中神経、橈骨神経、尺骨神経であり、足の末梢神経が、腓骨神経、脛骨神経、及び大腿神経であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能であり、前記家庭用電気治療器が付加するプラス信号及びマイナス信号の付加パターンが３２種類存在し、各付加パターンは、６回の通電刺激から構成され、前記３２種類のうち、プラス信号５回かつマイナス信号１回の付加パターンが２種類、プラス信号１回かつマイナス信号５回の付加パターンが２種類、プラス信号４回かつマイナス信号２回の付加パターンが９種類、プラス信号２回かつマイナス信号４回の付加パターンが９種類、プラス信号３回かつマイナス信号３回の付加パターンが１０種類、であり、前記家庭用電気治療器が、右の橈骨神経、左の橈骨神経、右の正中神経、左の正中神経、右の尺骨神経、左の尺骨神経、右の腓骨神経、左の腓骨神経、右の脛骨神経、左の脛骨神経、右の大腿神経、左の大腿神経の順に、各末梢神経と、仙骨孔−頸椎間とで、通電可能であることを特徴とする、家庭用電気治療器である。【００１１】
（２）本発明の第２の態様は、マイクロプロセッサと、電源制御ユニットと、過電圧保護ユニットと、前記マイクロプロセッサ、前記電源制御ユニット、及び前記過電圧保護ユニットを制御するスマートフォンと、左右の外耳道に設置する電極と、正中神経が通過する手のひらの部位、並びに橈骨神経及び尺骨神経が通過する手の甲の部位に電極を固定可能な手のサポータと、腓骨神経及び脛骨神経が通過する足の甲の部位、並びに大腿神経が通過する脛の内側面に電極を固定可能な足のサポータと、手のサポータ及び足のサポータに配置する複数の電極と、前記電極及び前記マイクロプロセッサを連結可能なケーブルと、を有する家庭用電気治療器であって、前記スマートフォンが、電流の出力パターン、電流の出力強度、通電時間、通電開始／終了のタイミング、通電状態、通電履歴を制御可能であり、前記家庭用電気治療器が、外耳道に０Ｖを付加可能であり、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、手の末梢神経が、正中神経、橈骨神経、尺骨神経であり、足の末梢神経が、腓骨神経、脛骨神経、及び大腿神経であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能であり、手の末梢神経及び仙骨孔に、プラス信号６回の付加パターンから、２ミリ秒から８ミリ秒の間隔で、プラス信号の回数を徐々に減らしつつマイナス信号の回数を徐々に増やす付加パターンに変更させつつ、プラス信号とマイナス信号を付加可能であり、足の末梢神経に、マイナス信号６回の付加パターンから、２ミリ秒から８ミリ秒の間隔で、マイナス信号の回数を徐々に減らしつつプラス信号の回数を徐々に増やす付加パターンに変更させつつ、プラス信号とマイナス信号を付加可能であり、前記家庭用電気治療器が、右の橈骨神経、右の腓骨神経、左の橈骨神経、左の腓骨神経、右の正中神経、右の大腿神経、左の正中神経、左の大腿神経、右の尺骨神経、右の脛骨神経、左の尺骨神経、左の脛骨神経の順に、各末梢神経と、仙骨孔−頸椎間とで、通電可能であることを特徴とする、家庭用電気治療器である。【００１２】
（３）本発明の第３の態様は、マイクロプロセッサと、電源制御ユニットと、過電圧保護ユニットと、前記マイクロプロセッサ、前記電源制御ユニット、及び前記過電圧保護ユニットを制御するスマートフォンと、正中神経が通過する手のひらの部位、並びに橈骨神経及び尺骨神経が通過する手の甲の部位に電極を固定可能な手のサポータと、腓骨神経及び脛骨神経が通過する足の甲の部位、並びに大腿神経が通過する脛の内側面に電極を固定可能な足のサポータと、手のサポータ及び足のサポータに配置する複数の電極と、前記電極及び前記マイクロプロセッサを連結可能なケーブルと、を有する家庭用電気治療器であって、前記スマートフォンが、電流の出力パターン、電流の出力強度、通電時間、通電開始／終了のタイミング、通電状態、通電履歴を制御可能であり、前記家庭用電気治療器が、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、手の末梢神経が、正中神経、橈骨神経、尺骨神経であり、足の末梢神経が、腓骨神経、脛骨神経、及び大腿神経であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能であり、前記家庭用電気治療器が付加するプラス信号及びマイナス信号の付加パターンが３２種類存在し、各付加パターンは、６回の通電刺激から構成され、前記３２種類のうち、プラス信号５回かつマイナス信号１回の付加パターンが２種類、プラス信号１回かつマイナス信号５回の付加パターンが２種類、プラス信号４回かつマイナス信号２回の付加パターンが９種類、プラス信号２回かつマイナス信号４回の付加パターンが９種類、プラス信号３回かつマイナス信号３回の付加パターンが１０種類、であり、前記家庭用電気治療器が、右の橈骨神経、左の橈骨神経、右の正中神経、左の正中神経、右の尺骨神経、左の尺骨神経、右の腓骨神経、左の腓骨神経、右の脛骨神経、左の脛骨神経、右の大腿神経、左の大腿神経の順に、各末梢神経と、仙骨孔−頸椎間とで、通電可能であることを特徴とする、家庭用電気治療器である。【００１３】
（４）本発明の第４の態様は、マイクロプロセッサと、電源制御ユニットと、過電圧保護ユニットと、前記マイクロプロセッサ、前記電源制御ユニット、及び前記過電圧保護ユニットを制御するスマートフォンと、正中神経が通過する手のひらの部位、並びに橈骨神経及び尺骨神経が通過する手の甲の部位に電極を固定可能な手のサポータと、腓骨神経及び脛骨神経が通過する足の甲の部位、並びに大腿神経が通過する脛の内側面に電極を固定可能な足のサポータと、手のサポータ及び足のサポータに配置する複数の電極と、前記電極及び前記マイクロプロセッサを連結可能なケーブルと、を有する家庭用電気治療器であって、前記スマートフォンが、電流の出力パターン、電流の出力強度、通電時間、通電開始／終了のタイミング、通電状態、通電履歴を制御可能であり、前記家庭用電気治療器が、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、手の末梢神経が、正中神経、橈骨神経、尺骨神経であり、足の末梢神経が、腓骨神経、脛骨神経、及び大腿神経であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能であり、手の末梢神経及び仙骨孔に、プラス信号６回の付加パターンから、２ミリ秒から８ミリ秒の間隔で、プラス信号の回数を徐々に減らしつつマイナス信号の回数を徐々に増やす付加パターンに変更させつつ、プラス信号とマイナス信号を付加可能であり、足の末梢神経に、マイナス信号６回の付加パターンから、２ミリ秒から８ミリ秒の間隔で、マイナス信号の回数を徐々に減らしつつプラス信号の回数を徐々に増やす付加パターンに変更させつつ、プラス信号とマイナス信号を付加可能であり、前記家庭用電気治療器が、右の橈骨神経、右の腓骨神経、左の橈骨神経、左の腓骨神経、右の正中神経、右の大腿神経、左の正中神経、左の大腿神経、右の尺骨神経、右の脛骨神経、左の尺骨神経、左の脛骨神経の順に、各末梢神経と、仙骨孔−頸椎間とで、通電可能であることを特徴とする、家庭用電気治療器である。【００１４】
（５）本発明の第５の態様は、睡眠誘導装置として用いられる（１）から（４）のいずれかに記載の家庭用電気治療器であって、前記家庭用電気治療器が、橈骨神経に７Ｈｚで通電可能であり、腓骨神経に７Ｈｚで通電可能であり、仙骨孔に４Ｈｚで通電可能であり、正中神経に６Ｈｚで通電可能であり、大腿神経に６Ｈｚで通電可能であり、尺骨神経に５Ｈｚで通電可能であり、脛骨神経に５Ｈｚで通電可能である、家庭用電気治療器である。【００１５】
（６）本発明の第６の態様は、睡眠誘導装置として用いられる（１）から（４）のいずれかに記載の家庭用電気治療器であって、前記家庭用電気治療器が、橈骨神経に７Ｈｚで通電可能であり、腓骨神経に７Ｈｚで通電可能であり、仙骨孔に４Ｈｚで通電可能であり、正中神経に６Ｈｚで通電可能であり、大腿神経に６Ｈｚで通電可能であり、尺骨神経に５Ｈｚで通電可能であり、脛骨神経に５Ｈｚで通電可能であり、前記スマートフォンが、入力された睡眠予定時刻の３時間前に通電開始時刻を通知可能であり、通知と同時に通電を開始する、家庭用電気治療器である。
【発明の効果】
【００１６】
本発明においては、家庭用電気治療器にスマートフォンを用いている。スマートフォンは、コンピュータと同等の機能を備えているが、携帯電話保有者の増加に伴って、世界的に広く流通しており、入手が容易であって価格も安価である。このため、スマートフォンを家庭用電気治療器に利用することにより、家庭においても手軽に電気治療器を用いた有効性の高い治療を実施することができる。【００１７】
さらに、本発明の好ましい態様における家庭用電気治療器を用いて、上肢に屈曲拘縮（くっきょくこうしゅく）、下肢に伸展拘縮（しんてんこうしゅく）が生じている脳血管障害の罹患者に通電を行う場合、わずか１５分の通電で下肢の伸筋が改善され、下肢の随意的な屈曲が可能となる。上肢は高度な運動を要求されるものであるため、治療初期には上肢の屈筋に対して治療効果が不足する傾向があるものの、本発明の家庭用電気治療器を用いた治療によれば、わずか１５分の通電で、上肢の屈曲拘縮についても、効果的に改善された。【００１８】
また、脳内のドーパミン不足とアセチルコリンの相対的な増加を病態とし錐体外路症状を示す進行性の疾患であるパーキンソン病を罹患した患者に対して、本発明の家庭用電気治療器を使用する場合、１５分の通電で筋強剛、姿勢保持反射障害が改善され、歩行距離も改善される。ただし、パーキンソン病に罹患する患者の４０％は、認知症が合併するとの報告があるが、本発明の電気治療器によって歩行距離が改善されると遠距離まで徘徊するという欠点が生じてしまうこともある。【００１９】
本発明の電気治療器は脳機能の基礎条件を改善するものであるが、２４時間の単位で効果は徐々に消失する。しかしながら、上肢の随意的な伸展と、下肢の随意的な屈曲が可能になるため、本発明の電気治療器を用いることにより、脳血管障害等を罹患する患者に対して、高い治療効果をもたらすとともに、疾患の治癒に対する大きな希望をもたらすものとなる。
【図面の簡単な説明】
【００２０】
【図１】本発明の家庭用電気治療器の概略構成図を示す図面である。
【図２】本発明の家庭用電気治療器における、電極の配置を模式的に示す図面である。
【図３】正中神経の領域で最も効果的な部位を示す。
【図４】正中神経に配置する電極を固定可能な手のサポータを示す。
【図５】橈骨神経、尺骨神経の領域で最も効果的な部位を示す。
【図６】橈骨神経、尺骨神経に配置する電極を固定可能な手のサポータを示す。
【図７】脛骨神経の領域で最も効果的な部位を示す。
【図８】腓骨神経の領域で最も効果的な部位を示す。
【図９】大腿神経の領域で最も効果的な部位を示す。
【図１０】脛骨神経、腓骨神経、大腿神経に配置する電極を固定可能な足のサポータを示す。
【図１１】仙骨における電極の固定位置を示す。
【図１２】腸骨と仙骨との関係、及び血液の移行部を示す。
【図１３】本発明の第１の態様における、手の末梢神経及び足の末梢神経への電気刺激の付与パターンを示す。
【図１４】本発明の第２の態様における手の末梢神経への電気刺激の付与パターンを示す。
【図１５】本発明の第２の態様における足の末梢神経への電気刺激の付与パターンを示す。
【図１６】本発明の第２の態様における通電パターンの参考例である。
【発明を実施するための形態】
【００２１】
＜家庭用電気治療器＞
以下、本発明の家庭用電気治療器１００について、図面を参照して詳細に説明する。なお、以下に示す本発明の家庭用電気治療器１００を実施するための形態は、本発明の家庭用電気治療器１００の一例を示すものであり、本発明は、以下に示す実施形態に何ら限定されるものではない。
【００２２】
図１は、本発明の家庭用電気治療器１００の概略構成図を示す図面である。本発明の家庭用電気治療器１００は、マイクロプロセッサ５０と、電源制御ユニット２０と、過電圧保護ユニット３０と、スマートフォン４０と、頸椎に設置する電極８０と、手のサポータ８０１と、足のサポータ８０２と、手のサポータ８０１及び足のサポータ８０２に配置する複数の電極８０と、電極８０及びマイクロプロセッサ５０を連結可能なケーブル７０と、を有する。
【００２３】
［スマートフォン］
スマートフォン４０は一般的なコンピュータと同等の機能を備えている。スマートフォン４０の所有者が、スマートフォン４０を家庭用電気治療器１００に応用することにより、高性能な家庭用電気治療器１００を、安価に利用することが可能となる。脳血管障害を罹患する患者は、収入が大幅に減少した状態で、長期間のリハビリテーションが必要となり、リハビリテーションによる経済的負担は非常に大きい。しかしながら、本発明の家庭用電気治療器１００においては、スマートフォン４０を、家庭用電気治療器１００の中心的な役割を担う部材として使用するため、高性能の家庭用電気治療器１００を、安価なコストで利用することが可能となる。
【００２４】
本発明の家庭用電気治療器１００においては、スマートフォン４０はケーブル７０により、マイクロプロセッサ５０、電源制御ユニット２０、及び過電圧保護ユニット３０と双方向に接続されている。そして、スマートフォン４０が医学情報を保持し、この医学情報に基づいて、マイクロプロセッサ５０、電源制御ユニット２０、及び過電圧保護ユニット３０を制御して、正確で安全な電気治療を実現する。より具体的には、スマートフォン４０は、医学情報として、電流の出力パターン、電流の出力強度、通電時間、通電開始／終了のタイミング、通電状態、通電履歴を記憶するとともに、これを制御し、マイクロプロセッサ５０、電源制御ユニット２０、及び過電圧保護ユニット３０を制御して、電気治療を実現する。スマートフォン４０にあらかじめ、医学情報を記憶させ、これを制御することにより、医学的知識に乏しい患者の場合であっても、高い再現性をもって、高い効果を有する電気治療を施行することができる。
【００２５】
［マイクロプロセッサ］
マイクロプロセッサ５０は、スマートフォン４０による、医学情報に基づく制御を受けて、出力信号の電圧、電流、周波数等を個別に制御する機能を有する。マイクロプロセッサ５０は、信号出力ユニット６０とケーブル７０により接続されており、信号出力ユニット６０は、マイクロプロセッサ５０の制御を受けて、そのポート１からポート１５の各ポートから、各神経に通電する電気刺激を出力可能になっている。マイクロプロセッサ５０が、出力信号の電圧、電流、周波数等を個別に制御することにより、本発明の家庭用電気治療器１００による電気治療が高い安全性と正確性をもって施行され、かつ、医学的知識に乏しい患者においても高い治療上の効果をもたらすことができるようになる。マイクロプロセッサ５０の具体的構成は、特に限定されるものではないが、例えば、中央演算装置（ＣＰＵ）と、記憶装置であるメモリと、記憶装置である記憶メディアと、を備えていることが好ましく、マイクロプロセッサ５０自体の制御を行う制御手段を、更に有していることが好ましい。マイクロプロセッサ５０は、ケーブル７０により、スマートフォン４０と双方向で接続されており、後述する電源制御ユニット２０及び過電圧保護ユニット３０とも、ケーブル７０により双方向で接続されている。
【００２６】
［電源制御ユニット］
本発明の家庭用電気治療器１００は、電源制御ユニット２０を有している。電源制御ユニット２０は、スマートフォン４０、過電圧保護ユニット３０、及びマイクロプロセッサ５０と、ケーブル７０により、双方向で接続されており、スマートフォン４０による制御を受けて、マイクロプロセッサ５０及びマイクロプロセッサ５０が制御する信号出力ユニット６０に供給される電流とその電圧を制御する。家庭用電気治療器１００が電源制御ユニット２０を有することにより、マイクロプロセッサ５０及び信号出力ユニット６０に供給される電流とその電圧が制御されるため、安全性が高く、かつ正確性の高い電気治療を施行することが可能となる。
【００２７】
［過電圧保護ユニット］
本発明の家庭用電気治療器１００は、過電圧保護ユニット３０を有している。過電圧保護ユニット３０は、スマートフォン４０、電源制御ユニット２０、及びマイクロプロセッサ５０と、ケーブル７０により、双方向で接続されており、スマートフォン４０による制御を受けて、マイクロプロセッサ５０及びマイクロプロセッサ５０が制御する信号出力ユニット６０が、規定された電圧よりも高い電圧の電気刺激を出力することを防止する機能を有する。例えば、過電圧保護ユニット３０は、マイクロプロセッサ５０が出力しようとする電気刺激、及び信号出力ユニット６０が出力する電気刺激の電圧をモニタする手段を有し、出力される電気刺激の電圧が規定電圧を上回る場合には、必要に応じてスマートフォン４０及び電源制御ユニット２０を介して、電気刺激の出力を停止する手段を実行できるものであることが好ましい。
【００２８】
［電極］
図２は、本発明の家庭用電気治療器１００における、電極８０の配置を模式的に示す図面である。上述のとおり、信号出力ユニット６０にはポート１からポート１５が設けられており、各ポートに接続された複数の電極８０が配置されている。電極８０は、左右の手の正中神経、橈骨神経、及び尺骨神経、並びに、左右の足の腓骨神経、脛骨神経、及び大腿神経に電気刺激を付与可能にしている。これに加えて、本発明の家庭用電気治療器１００においては、必要に応じて、頸椎に設置する電極８０（図２では、脳疾患を持つ人を想定して、左右の外耳道に設置する電極８０を示している）、左右の仙骨神経（仙骨孔）に設置する電極８０、を有する。各神経の詳細については、後述する。
【００２９】
これらの電極８０の設置位置のうち、外耳道には、副交感性である迷走神経の耳介枝が分布している。迷走神経は咽頭・気管・気管支・食道・心臓・胃・腹部の血管・肝臓・胆嚢・膵臓・小腸・結腸の右２／３までの内臓と器官の副交感神経系の運動神経と、知覚神経を支配している。また、迷走神経の分枝である反回神経は口蓋帆挙筋、耳管咽頭筋、茎突咽頭筋、口蓋舌筋、口蓋咽頭筋、上咽頭収縮筋、中咽頭収縮筋、下咽頭収縮筋を支配している。迷走神経は会話機能に対して、中心的な役割を担っているため、外耳道に電極８０を設置して、迷走神経に電気刺激を与えることにより、脳血管障害で起こりがちな失語症状に対して、効果的な改善をもたらすこともできる。
【００３０】
これらの電極８０は、ケーブル７０を介し、必要に応じて信号出力ユニット６０を介して、マイクロプロセッサ５０と連結されており、各末梢神経の通過位置に配置される。
【００３１】
[手足の末梢神経]
手足の末梢神経について、大阪大学運動器バイオマテリアル学、菅本一臣教授（整形外科医）監修の下で開発された医学アプリであるｔｅａｍＬａｂＢｏｄｙによれば、以下のような記述がみられる。
【００３２】
手の正中神経について、『正中神経の前骨間神経は深指屈筋、長母指屈筋、方形回内筋を支配する。掌枝は手掌の母指側２／３の皮膚を支配する。半回枝は母指球筋、短母指外転筋、短母指屈筋、母指対立筋、第１，２虫様筋を支配する』。手の尺骨神経について、『尺骨神経の筋枝は尺側手根屈筋、深指屈筋を支配する。深枝は小指球筋、小指対立筋、小指外転筋、母指内転筋、第３，４虫様筋、背側骨間筋、掌側骨間筋を支配する。浅枝と背側枝、掌枝の感覚神経は第５指と第４指の内側皮膚と対応する手掌と手背の皮膚に分布する』。手の橈骨神経について、『橈骨神経筋枝は上腕三頭筋、肘筋、腕撓骨筋、長撓側手根伸筋を支配する。深枝は短撓側手根伸筋、回外筋を支配する。後骨間神経は指伸筋、小指伸筋、尺側手根伸筋、長母指外転筋、長・短母指伸筋、示指伸筋を支配する』。
【００３３】
足の脛骨神経について、『脛骨神経の下腿で起こる筋枝は腓腹筋、ヒラメ筋、膝窩筋、長趾屈筋、長母趾屈筋、後脛骨筋を支配する。内側足底神経は母趾外転筋、短母趾屈筋、第１虫様筋、足底の皮膚内側３趾から第５趾を支配する。外側足底神経は小趾外転筋、足底方形筋、骨間筋、第２から第４虫様筋、母趾内転筋、短小趾屈筋を支配する。足底の皮膚は外側第１趾から第５趾の知覚を伝える』。足の腓骨神経について、『総腓骨神経の外側腓腹皮神経は下腿上部の外側の皮膚を支配する。浅腓骨神経は長腓骨筋、短腓骨筋を支配する。内側・中間足背皮神経は足背の大半の皮膚を支配する。深腓骨神経は前脛骨筋、長母趾伸筋、長趾伸筋、第三腓腹筋を支配する。深腓骨神経の外側枝は短趾伸筋、短母趾伸筋を支配する。深腓骨神経の内側枝は母趾と第２趾間の皮膚に分布する』。足の大腿神経について、『大腿神経の筋枝は大腰筋、腸骨筋を支配する。前大腿皮枝は大腿前面内側２／３の皮膚と、膝前面皮膚に分布する。前部の筋枝は恥骨筋、縫工筋を支配する。伏在神経は足内側の皮膚に分布する。後部の筋枝は大腿四頭筋（大腿直筋、外側広筋、中間広筋、内側広筋）を支配する』。
【００３４】
これらの記述にみられるように、手の正中神経、橈骨神経、及び尺骨神経、並びに、足の腓骨神経、脛骨神経、及び大腿神経は、手や足の運動をつかさどる様々な筋肉を支配しているため、上肢に屈曲拘縮、下肢に伸展拘縮が生じている脳血管障害の罹患者に通電を行った場合でも、わずか１５分の通電で手や足の随意的な運動が可能となる。
【００３５】
以上を踏まえ、手について、図３に、正中神経の領域で最も効果的な部位を示し、図４に、正中神経に配置する電極８０を固定可能な手のサポータ８０１を示す。図５に、橈骨神経、尺骨神経の領域で最も効果的な部位を示し、図６に、橈骨神経、尺骨神経に配置する電極８０を固定可能な手のサポータ８０１を示す。また、足について、図７に、脛骨神経の領域で最も効果的な部位を示し、図８に、腓骨神経の領域で最も効果的な部位を示し、図９に、大腿神経の領域で最も効果的な部位を示す。図１０に、脛骨神経、腓骨神経、大腿神経に配置する電極８０を固定可能な足のサポータ８０２を示す。
【００３６】
［手のサポータ、足のサポータ］
本発明の家庭用電気治療器１００は、図４、図６、及び図１０に示したように、必須の部材として、手のサポータ８０１及び足のサポータ８０２を有する。ここで、手のサポータ８０１は、正中神経が通過する手のひらの部位、並びに橈骨神経及び尺骨神経が通過する手の甲の部位に電極８０を固定可能なものであり、足のサポータ８０２は、腓骨神経及び脛骨神経が通過する足の甲の部位、並びに大腿神経が通過する脛の内側面に電極８０を固定可能なものである。このため、手のサポータ８０１は、少なくとも手のひら、手の甲、手首を被覆可能なものであることが好ましく、足のサポータ８０２は、少なくとも足の裏、足の甲、足首、脛を被覆可能なものであることが好ましい。図４、図６、及び図１０に示すように、手のサポータ８０１及び足のサポータ８０２は、それぞれ、正中神経、橈骨神経、及び尺骨神経、並びに、腓骨神経、脛骨神経、及び大腿神経において、電気刺激が最も効果を有する部位に電極８０を固定可能であることが好ましい。
【００３７】
本発明の家庭用電気治療器１００においては、手のサポータ８０１、及び足のサポータ８０２を採用し、手のひら、手の甲、足の甲、脛において、治療上最も有効な部位に電極８０を固定可能としているため、医学的な知識を有していない脳血管障害に罹患する患者やその介護者であっても、再現性よく、効果的な部位に電極８０を配置することができる。これにより、本発明の家庭用電気治療器１００を用いた電気治療を、高い正確性をもって施行することができる。
【００３８】
［仙骨神経（仙骨孔）］
図１１に、仙骨における電極８０の固定位置を示すが、必要に応じて電極固定テープを用いて、この部位に電極８０を固定して、電気治療を施行することにより、血流に対しても良好な効果をもたらしつつ、仙骨副交感神経系に良好な治療効果を発揮せしめることができる。図１２に、腸骨と仙骨との関係、及び血液の移行部を示す。仙骨が位置する腸骨の骨髄には大量の造血幹細胞が存在しているものとされ、白血球（好中球、好酸球、好塩基球、リンパ球、単球、マクロファージ）、赤血球、血小板、肥満細胞、樹状細胞を生み出している。仙骨副交感神経系は大腸の右１／３、腎臓と膀胱、生殖器、外陰部を支配している。
【００３９】
［電気刺激の付与パターン］
神経の活動と電気刺激は密接に関連している。神経が興奮した場合、活動電位が生じるが、この活動電位とは刺激に応じて細胞膜に生じる、一過性の膜電位の変化である。活動電位が生じた状態においては、細胞膜の電位は−７０ｍＶから４０ｍＶに急上昇し、その後間もなくして、細胞膜の電位が−７０ｍＶに戻る。このため、神経に電気刺激を付与することにより、神経を人為的に興奮させることができる。脳神経の軸索が伸長し、ニューロンのネットワークを形成する際に弊害となるのは大きな刺激である。中枢神経における障害部の活動電位は弊害となりうるものである。
【００４０】
本発明の第１の態様においては、家庭用電気治療器１００は、必要に応じて、頸椎に０Ｖを付加可能としつつ、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能である。ここで、中心後回は体の各部位から体性感覚の入力を受け取る部位である。末梢神経から中心後回に刺激を伝えるためには、末梢神経にプラス電位を付加すればよいことが知られている。本発明においては、このプラスの電位を付加する信号のことを、プラス信号と呼称する。大脳の運動野については、一次運動野が補足運動野等と共同し運動を行っている。末梢神経にマイナスの電位を付加することにより、中枢神経の信号を末梢神経に引き出すことができ、これにより、末梢神経に刺激を伝えることができる。本発明においては、このマイナスの電位を付加する信号のことを、マイナス信号と呼称する。
【００４１】
なお、頚椎への０Ｖの電気刺激の付加は任意であり、この頚椎への電気刺激の付加を行わなくてもよい。この、本発明の第１の態様における、手の末梢神経及び足の末梢神経への電気刺激の付与パターンを図１３に示す。この態様において、付与パターンに含まれる、家庭用電気治療器１００が付加するプラス信号及びマイナス信号の個々の付加パターンは３２種類存在し、各付加パターンは、６回の通電刺激から構成され、３２種類のうち、プラス信号５回かつマイナス信号１回の付加パターンが２種類、プラス信号１回かつマイナス信号５回の付加パターンが２種類、プラス信号４回かつマイナス信号２回の付加パターンが９種類、プラス信号２回かつマイナス信号４回の付加パターンが９種類、プラス信号３回かつマイナス信号３回の付加パターンが１０種類、である。家庭用電気治療器１００は、右の橈骨神経、左の橈骨神経、右の正中神経、左の正中神経、右の尺骨神経、左の尺骨神経、右の腓骨神経、左の腓骨神経、右の脛骨神経、左の脛骨神経、右の大腿神経、左の大腿神経の順に、各末梢神経と、仙骨孔−頸椎間とで、通電可能である。
【００４２】
本発明の第２の態様においては、家庭用電気治療器１００は、必要に応じて、外耳道に０Ｖを付加可能としつつ、手の末梢神経に５Ｖ若しくは６Ｖ又は−５Ｖ若しくは−６Ｖを付加可能であり、足の末梢神経に５Ｖ若しくは６Ｖ又は−５Ｖ若しくは−６Ｖを付加可能であり、仙骨孔に通電可能であり、手の末梢神経、及び足の末梢神経のそれぞれに、大脳の中心後回に刺激を伝える、プラス信号と、大脳の運動野を介して末梢神経に刺激を伝える、マイナス信号と、を付加可能である。なお、外耳道への０Ｖの電気刺激の付加は任意であり、この外耳道への電気刺激の付加を行わなくてもよい。この、本発明の第２の態様における、手の末梢神経への電気刺激の付与パターンを図１４に、足の末梢神経への電気刺激の付与パターンを図１５に示す。
【００４３】
具体的には、家庭用電気治療器１００が付加するプラス信号及びマイナス信号の付加パターンは手及び足の末梢神経について、それぞれ６４種類存在し、各付加パターンは、６回の通電刺激から構成される。図１４に示すように、手の末梢神経に係る６４種類のうち、プラス信号６回かつマイナス信号０回の付加パターンが１種類、プラス信号５回かつマイナス信号１回の付加パターンが６種類、プラス信号４回かつマイナス信号２回の付加パターンが１４種類、プラス信号３回かつマイナス信号３回の付加パターンが２１種類、プラス信号２回かつマイナス信号４回の付加パターンが１５種類、プラス信号１回かつマイナス信号５回の付加パターンが６種類、プラス信号０回かつマイナス信号６回の付加パターンが１種類、である。また、図１５に示すように、足の末梢神経に係る６４種類のうち、プラス信号０回かつマイナス信号６回の付加パターンが１種類、プラス信号１回かつマイナス信号５回の付加パターンが６種類、プラス信号２回かつマイナス信号４回の付加パターンが１５種類、プラス信号３回かつマイナス信号３回の付加パターンが２１種類、プラス信号４回かつマイナス信号２回の付加パターンが１４種類、プラス信号５回かつマイナス信号１回の付加パターンが６種類、プラス信号６回かつマイナス信号０回の付加パターンが１種類、である。
【００４４】
この態様において、本発明の家庭用電気治療器１００は、手の末梢神経及び仙骨孔に、プラス信号６回の付加パターンから、２ミリ秒から８ミリ秒の間隔で、プラス信号の回数を徐々に減らしつつマイナス信号の回数を徐々に増やす付加パターンに変更させつつ、プラス信号とマイナス信号を付加可能であり、逆に、足の末梢神経には、マイナス信号６回の付加パターンから、２ミリ秒から８ミリ秒の間隔で、マイナス信号の回数を徐々に減らしつつプラス信号の回数を徐々に増やす付加パターンに変更させつつ、プラス信号とマイナス信号を付加可能である。家庭用電気治療器１００は、右の橈骨神経、右の腓骨神経、左の橈骨神経、左の腓骨神経、右の正中神経、右の大腿神経、左の正中神経、左の大腿神経、右の尺骨神経、右の脛骨神経、左の尺骨神経、左の脛骨神経の順に、各末梢神経と、仙骨孔−頸椎間とで、通電可能である（図１６も参照）。
【００４５】
＜睡眠誘導装置として用いられる家庭用電気治療器＞
本発明の家庭用電気治療器１００は、睡眠誘導装置としても用いられる。現代の若者は視覚や聴覚を介して多くの刺激を受け続けており、一日の運動量も多い。成人して社会で活躍するようになると、仕事のストレスも急増するし、高齢者であっても、環境に対する不満や不安が増加する。このような日常のストレスの急増に伴って、現代人は交感神経の興奮時間が急増しており、健康な者であっても、良質で理想的な睡眠を得るための方法が必要となっている。本発明の家庭用電気治療器１００を睡眠誘導装置として使用することにより、交感神経の興奮が抑制され、副交感神経の興奮が促進されて、良質で理想的な睡眠がもたらされる。
【００４６】
ここで、一般に脳波は２０μＶから７０μＶの電位を有し、良質で深い睡眠中に現れるδ波は７０μＶの電位を有する。深い睡眠の間は副交感神経が優勢であり、細胞や組織、臓器や器官を修復しているとされている。睡眠は、一般に、レム睡眠（ＲＥＭ；Ｒａｐｉｄ  Ｅｙｅ  Ｍｏｖｅｍｅｎｔ）とノンレム睡眠を繰り返している。レム睡眠においては、骨格筋が弛緩して身体は休息状態にあるが、脳は活動して覚醒状態にあり、脳波は４Ｈｚから７Ｈｚのθ波が優勢である。ノンレム睡眠は１ステージから４ステージに分けられ、１Ｈｚから４Ｈｚのδ波と呼ばれる波形が現れる。
【００４７】
したがって、このような睡眠時における脳波の特性等を考慮すれば、家庭用電気治療器１００が睡眠誘導装置として用いられる場合、家庭用電気治療器１００は、橈骨神経に７Ｈｚで通電可能であり、腓骨神経に７Ｈｚで通電可能であり、仙骨孔に４Ｈｚで通電可能であり、正中神経に６Ｈｚで通電可能であり、大腿神経に６Ｈｚで通電可能であり、尺骨神経に５Ｈｚで通電可能であり、脛骨神経に５Ｈｚで通電可能であることが好ましい。そして、本発明の家庭用電気治療器１００における大きな特徴の一つである、スマートフォン４０は、睡眠予定時刻及び通電開始時刻を設定可能となっていて、例えば、入力された睡眠予定時刻の３時間前に通電開始時刻を通知して、通知と同時に通電を開始する。なお、通電開始時刻は、必ずしも睡眠予定時刻の３時間前である必要はなく、２時間以上４時間以下の時間であればよいが、良質の睡眠を確保する上では、３時間という時間が最も好適である。
【００４８】
本発明においては、手の末梢神経及び足の末梢神経と、頸椎（脳疾患を持つ患者は外耳道）との間、並びに副交感神経が支配する仙骨から頸椎間（外耳道）に通電し、良質の睡眠をもたらすための前提条件を作り出す睡眠誘導プログラムをも提案するものである。
【符号の説明】
【００４９】
１００      家庭用電気治療器
２０        電源制御ユニット
３０        過電圧保護ユニット
４０        スマートフォン
５０        マイクロプロセッサ
６０        信号出力ユニット
７０        ケーブル
８０        電極
８０１      手のサポータ
８０２      足のサポータ
【図１】
2017221389.tif 000003
【図２】
2017221389.tif 000004
【図３】
2017221389.tif 000005
【図４】
2017221389.tif 000006
【図５】
2017221389.tif 000007
【図６】
2017221389.tif 000008
【図７】
2017221389.tif 000009
【図８】
2017221389.tif 000010
【図９】
2017221389.tif 000011
【図１０】
2017221389.tif 000012
【図１１】
2017221389.tif 000013
【図１２】
2017221389.tif 000014
【図１３】
2017221389.tif 000015
【図１４】
2017221389.tif 000016
【図１５】
2017221389.tif 000017
【図１６】
2017221389.tif 000018
【国際調査報告】
2017221389.tif 000019
2017221389.tif 000020
2017221389.tif 000021
2017221389.tif 000022